(57)【特許請求の範囲】
【請求項１】
２枚以上の原紙がプライ加工されるトイレクリーナーであって、
全面にエンボスが形成され、全面に形成された全ての前記エンボスの３０％以上のエンボスに、紙の漉き目の方向に沿って形成されたカット部を有し、
前記エンボスは、長尺な楕円形状であり、且つ、前記漉き目方向にくびれたくびれ部を有する、ひょうたん形状であり、
前記カット部は、前記エンボスの曲線部の一部に形成されることを特徴とするトイレクリーナー。
【請求項２】
前記エンボスの膨出部の高さが０．４０ｍｍ〜０．７５ｍｍであることを特徴とする請求項１記載のトイレクリーナー。
【請求項３】
前記エンボスが菱形格子に配列されたことを特徴とする請求項１又は２に記載のトイレクリーナー。
【発明の詳細な説明】
【技術分野】
【０００１】
本発明は、トイレクリーナーに関する。
【背景技術】
【０００２】
現在、トイレクリーナーは、風合い、吸収性及び嵩高性等を向上させるために、クレープ紙などの原紙を複数枚プライ加工して１枚のシートとしたものが一般的に使用されている。そして、このようなトイレクリーナーの表面強度を高めるためにエンボス加工を施している。
【０００３】
例えば、各プライのペーパーシートに夫々同一の密で浅いベーシックエンボスパターンを与え、各プライのエンボス凸面同士を近接対面し、各プライを接合一体化して表面強度を高めてシート破断や裂けを防止することにより、崇高性、肌触り性、美粧性に優れた２プライ衛生紙が開示されている（例えば、特許文献１参照）。
【０００４】
また、例えば、紙匹をエンボス加工することにより表面強度を高めて、紙がロールに巻き付けられる際に生成される圧縮力に耐えると同時に、機械を横断する方向の引張り強さを維持するエンボス衛生紙等が開示されている（例えば、特許文献２参照）。
【先行技術文献】
【特許文献】
【０００５】
【特許文献１】特許第４１８０２６３号公報
【特許文献２】特許第２６８６３１６号公報
【発明の概要】
【発明が解決しようとする課題】
【０００６】
しかしながら、特許文献１及び２に記載されたトイレクリーナー（衛生紙等）では、エンボス加工によりトイレクリーナーの表面強度は高まるものの、トイレクリーナーのしなやかさが低下してしまい、拭き掃除の際に固すぎて拭き取り性能が悪化してしまうといった問題点があった。
【０００７】
本発明の課題は、エンボス加工によりトイレクリーナーの表面強度を高めると共に、しなやかで拭き取り性能の高いトイレクリーナーを提供することにある。
【課題を解決するための手段】
【０００８】
前記課題を解決するために、請求項１記載の発明は、
２枚以上の原紙がプライ加工されるトイレクリーナーであって、
全面にエンボスが形成され、全面に形成された全ての前記エンボスの３０％以上のエンボスに、紙の漉き目の方向に沿って形成されたカット部を有し、
前記エンボスは、長尺な楕円形状であり、且つ、前記漉き目方向にくびれたくびれ部を有する、ひょうたん形状であり、
前記カット部は、前記エンボスの曲線部の一部に形成されることを特徴とする。
【００１１】
請求項２記載の発明は、請求項１記載のトイレクリーナーにおいて、前記エンボスの膨出部の高さが０．４０ｍｍ〜０．７５ｍｍであることを特徴とする。
【００１２】
請求項３記載の発明は、請求項１又は２に記載のトイレクリーナーにおいて、前記エンボスが菱形格子に配列されたことを特徴とする。
【発明の効果】
【００１３】
本発明によれば、２枚以上の原紙がプライ加工されるトイレクリーナーであって、全面にエンボスが形成され、全面に形成された全てのエンボスの３０％以上のエンボスに、紙の漉き目の方向に沿って形成されたカット部を有することにより、当該カット部で紙の繊維が切断されるため、エンボス加工によりトイレクリーナーの表面強度を高めると共に、しなやかで拭き取り性能の高いトイレクリーナーを提供することができる。
【図面の簡単な説明】
【００１４】
【図１】実施形態のトイレクリーナーの一例を示す平面図である。
【図２】トイレクリーナーのエンボス部分の拡大図及び断面図である。
【図３】実施例及び比較例のエンボスの形状及び配置の一例を示す説明図である。
【発明を実施するための形態】
【００１５】
以下、図面を参照しつつ、本発明の実施形態であるトイレクリーナーを詳細に説明する。但し、発明の範囲は、図示例に限定されない。
【００１６】
なお、本発明であるトイレクリーナーにおいて、トイレクリーナー１００を一例にして説明する。また、トイレクリーナー１００の短手方向をＸ方向、トイレクリーナー１００の長手方向をＹ方向として説明する。
【００１７】
また、トイレクリーナー１００のＸ方向は、抄紙機上の紙の進行（漉き目の）方向（マシン方向（ＭＤ方向）：machine direction）であり、トイレクリーナー１００のＹ方向は、抄紙機の幅（流れ目に直角）方向（クロスマシン方向（ＣＤ方向）、cross machine direction）である。このため、抄紙された紙のＭＤ方向に沿って紙の繊維が伸びている。また、抄紙された紙の繊維は、紙の漉き目の方向（ＭＤ方向）にのみ伸びているだけではなく、抄紙された紙のＣＤ方向に沿って伸びているものもある。
【００１８】
（実施形態）
本実施形態によって製造されるトイレクリーナー１００は、複数枚の原紙がプライ加工（積層）されたものであって、所定の薬液が塗布されている。また、トイレクリーナー１００のシート全面には、図１に示す通り、長尺な楕円形状であり、且つ、短手方向にくびれ部を有する形状、所謂、ひょうたん形状（以下、単にひょうたん形状と呼ぶ。）のエンボス加工が施されている。
【００１９】
例えば、ひょうたん形状のエンボスＥＭ１１は菱形格子となるように配置されることにより、ひょうたん形状のエンボスＥＭ１１が正方格子や矩形格子に配置される場合と比較して拭きムラを軽減することができる。
【００２０】
また、トイレクリーナー１００は、折り加工されることにより、長手方向（Ｙ方向）の中央部で２つ折りに折り畳まれる。そして、折り畳まれた状態で保管用のプラスチックケースや包装フィルム内等に保管され、使用時には必要に応じて広げて使用される。なお、トイレクリーナー１００の折り畳み方は、２つ折りに限ることはなく、例えば、４つ折りにしても良く８つ折りにしても良い。
【００２１】
また、本実施形態のトイレクリーナー１００は、トイレを掃除した後、そのまま便器の水溜りに廃棄できるように、水解性の繊維集合体から構成されている。
【００２２】
繊維集合体としては、天然繊維、合成繊維又はこれらを混合した繊維等を使用することができ、水解性を有する繊維集合体であれば特に限定されることはない。好適な原料繊維としては、木材パルプ、非木材パルプ、レーヨン、コットン等のセルロース系繊維、ポリ乳酸などからなる生分解性繊維等があげられる。また、基材の強度を向上させるために、紙力増強剤としてポリビニルアルコール（ＰＶＡ）やカルボキシメチルセルロース（ＣＭＣ）等を配合若しくは塗工・塗布してもよい。また、ＣＭＣの水溶液を塗布して乾燥させて加工する方が、表面強度が保たれやすく望ましい。
【００２３】
また、本実施形態のトイレクリーナー１００には、所定の薬液が塗布されており、具体的には、水性洗浄剤の他、香料、防腐剤、除菌剤、紙力増強剤等の補助剤を含む所定の薬液が塗布されている。
【００２４】
薬液としては、適宜のものを使用することができ、例えば、水性洗浄剤としては、界面活性剤の他、低級又は高級（脂肪族）アルコールを使用することができる。香料としては、水性香料の他、オレンジオイル等の油性香料の中から、一種又は数種を適宜選択して使用することができる。防腐剤としては、例えば、メチルパラベン、エチルパラベン、プロピルパラベン等のパラベン類を使用することができる。除菌剤としては、アルコール、パラオキシ安息香酸エステル、モノマーの四級アンモニウム塩、塩化セチルピリジニウム、フェノキシエタノール等を使用することができる。紙力増強剤としては、ホウ酸、種々の金属イオン等を使用することができる。
【００２５】
また、上述した薬液の成分の補助剤については適宜選択可能であり、必要に応じて他の機能を果たす成分を薬液に含ませてもよい。
【００２６】
エンボスＥＭ１１は、図１に示すように、トイレクリーナー１００の全面に施されており、各々のエンボスＥＭ１１であって紙の漉き目の方向（ＭＤ方向）に沿ってカット部を有している。
【００２７】
例えば、図２（ａ）の拡大図におけるII-II線の断面図は、図２（ｂ）に示すようになり、エンボスＥＭ１１が施された箇所であって、紙の漉き目の方向（ＭＤ方向）に沿ってカット部ＣＴ２１が形成されている。
【００２８】
具体的には、例えば、エンボス加工は、それぞれ対向する位置に設置され、凸部パターンが形成された上側エンボスロール（不図示）と、凸部パターンと同一の凹部パターンが形成された下側エンボスロール（不図示）によって、トイレクリーナー１００を挟み込むことによりエンボスＥＭ１１が形成することにより行われる。
【００２９】
このようなエンボス加工の際、上側エンボスロールの凸部パターンと下側エンボスロールの凸部パターンの間にトイレクリーナー１００が挟み込まれ、凸部パターンの底辺部分に位置するトイレクリーナー１００に負荷がかかって剪断力によってトイレクリーナー１００が破けることにより、カット部ＣＴ２１が形成される。
【００３０】
このように形成されたカット部ＣＴ２１は、紙の漉き目に直角な方向（ＣＤ方向）に沿って伸びている紙の繊維を切断することになるので、トイレクリーナー１００の硬さが緩和されてしなやかさが向上し、拭き取り性能が高くなる。また、紙の漉き目の方向（ＭＤ方向）に伸びている紙の繊維は温存されるため、表面強度を維持することができる。
【００３１】
エンボスの形状が四角形・三角形のような直線状のものは、ある一辺に沿った一定方向の紙の繊維しか切断されず、また、カット部が広くなってしまうのに対して、六角形以上の多角形やひょうたん形状や楕円形状等のエンボスの形状が曲線状の場合には、繊維の配向性に合わせて、切断したい方向の繊維を切断する辺や曲線部の一部を選択することができ、温存したい配向の紙の繊維を切り過ぎないように調整できるので、エンボスの形状が直線状の場合と比較して、表面強度を維持しやすいといった効果を奏することができる。
【００３２】
この中で、紙の漉き目方向に対し、直角に近いエンボスの部分にカット部を設けた場合、エンボスロールの回転によるカット部の加圧や蹴り上げにより、カットされた部分が拡がる可能性もあるので、漉き目方向に沿って、漉き目と直角にならない角度となる曲線や多角形、又はそれらの組み合わせたカット部を設けることが、好ましい。
【００３３】
特に、ひょうたん形状のエンボスの場合には、エンボスが、くびれ部にそってしなりやすくなるため、エンボス自体がしなやかになりやいので、トイレクリーナー１００全体としてのしなやかさが向上するといった効果を奏する。
【００３４】
また、カット部ＣＴ２１を有するエンボスＥＭ１１は、通常のエンボスの効果を同様に得ることができ、トイレクリーナーの風合い、吸収性及び嵩高性等を向上させることができる。さらに、カット部ＣＴ２１は外観上目立たないため、通常のエンボスと同様に、エンボスを施すことによる見栄えの良さの効果も得ることができる。
【００３５】
なお、図２の記載においては、全てのエンボスＥＭ１１にカット部ＣＴ２１を有する構成を例示しているが、エンボスＥＭ１１の全てにカット部ＣＴ２１がなくても、エンボスＥＭ１１のうち少なくとも一部のエンボスにカット部ＣＴ２１を有するものであればよく、エンボス加工によりトイレクリーナーの表面強度を高めると共に、しなやかで拭き取り性能の高いといった効果を奏することができる。
【００３６】
次に、従来のカットなしのエンボスを施したトイレクリーナーと、本実施形態の紙の漉き目の方向（ＭＤ方向）に沿ってカット部を有するエンボスを施したトイレクリーナー１００とについて、拭き取り性、表面強度、しなやか、水解性を評価した結果を説明する（表１参照）。
なお、表１におけるカットなしにおける各値は、下記の実施例１〜３の各項目における平均値であり、カットありにおける各値は、下記の比較例１〜２の各項目における平均値である。
【００３７】
【表１】
0006622979.tif 000002
【００３８】
＜実施条件＞
原紙：パルプ１００％
秤量（ドライ状態）：９０ｇ／ｍ２（２プライ）
エンボス条件：実施例１：サイズ…３ｍｍ×６ｍｍ
ピッチ…ＭＤ方向５ｍｍ、ＣＤ方向８ｍｍ
実施例２：サイズ…３ｍｍ×３ｍｍ
ピッチ…ＭＤ、ＣＤ方向５ｍｍ
実施例３：サイズ…ＭＤ方向２．６１ｍｍ、ＣＤ方向０．８５ｍｍ
ピッチ…ＭＤ方向１．４５ｍｍ、ＣＤ方向１．５９ｍｍ
比較例１：サイズ…直径３ｍｍの円、ピッチ…ＭＤ、ＣＤ方向３ｍｍ
比較例２：サイズ…直径３ｍｍの円、ピッチ…ＭＤ、ＣＤ方向３ｍｍ
エンボス配列：実施例１、実施例２、実施例３、比較例１・・・菱形格子
比較例２・・・矩形格子
カット加工方法：実施例１、２…エンボス加工の際に紙の繊維を圧着して圧着部を形成。
実施例３…エンボスの辺どおしを並べて辺どおしがすれ違うことで剪断
する方法。
薬液成分：多価アルコール、界面活性剤、除菌剤、オレンジエキス、シリコーン
【００３９】
具体的には、実施例１のエンボスＥＭ１１は、図３（ａ）に示すように、長尺な楕円形状であり、且つ、短手方向にくびれ部を有する形状、所謂、ひょうたん形状であって、菱形格子に配列されている。また、実施例２のエンボスＥＭ１１は、図３（ｂ）に示すように、円形状であり、且つ、紙の漉き目の方向及びその直角な方向にくびれ部を有する形状であって、菱形格子に配列されている。実施例３のエンボスＥＭ１１は、図３（ｃ）に示すように、六角形の形状であって、菱形格子に配列されている。
【００４０】
一方、比較例１のエンボスＥＭ１１は、図３（ｄ）に示すように、円形状であって、菱形格子に配列され、比較例２のエンボスＥＭ１１は、図３（ｅ）に示すように、円形状であって、矩形格子に配列されている。
【００４１】
トイレクリーナー１００の完成品の使用時において、拭き取り性、表面強度、しなやかさ、水解性について官能評価を行った。なお、トイレクリーナー１００は、本実施形態で示した通り、薬液塗布されて濡れた状態になっており、広げて使用する場合を想定して評価した。
【００４２】
拭き取り性の評価においては、約２００ｍｍ×２００ｍｍのタイル片の上に１ｇの疑似汚れである泥状便を乗せ、泥状便の上に１００ｍｍ×１００ｍｍの試験片を乗せて１ｋｇのおもりで荷重をかける。そして、当該おもりを押して左右に一往復させることを３度繰り返した後、ＡＴＰ拭き取り検査装置で汚れの残りを測定して評価した（ＲＬＵが３０００以上の場合は「×」、ＲＬＵが２０００〜３０００未満の場合は「△」、ＲＬＵが１０００〜２０００未満の場合は「○」、ＲＬＵが１０００未満の場合は「◎」）。表１に示すように、カットなしのエンボスのみを施した場合は、拭き取り性が悪く、カットありのエンボスを施した場合は、拭き取り性が向上していた。
また、実施例１〜３、比較例１〜２のそれぞれの拭き取り性の評価は表２のようになる（平均値は３回評価した値の平均）。
【００４３】
【表２】
0006622979.tif 000003
【００４４】
ちなみに、疑似汚れである泥状便の成分は、そば粉、との粉、人工尿、ＣＭＣ（カルボキシメチルセルロース）、グリセリン及び界面活性剤を所定の配合量で混ぜ合わせたものである。また、ＡＴＰ拭き取り検査装置とは、全ての生物の細胞内に存在するＡＴＰ（アデノシン三リン酸）を酵素などと組み合わせて発光させ、その発光量（Relative Light Unit；ＲＬＵ）を測定する装置である。
【００４５】
しなやかさの評価においては、２５ｍｍ×１２０ｍｍでＭＤ方向にカットした試験片（トイレクリーナー）を４つ用意し、カンチレバー法（ＪＩＳ  Ｌ  １９１３：２０１０）に基づき、斜面に試験片が接するまでの距離で評価した（３５ｍｍ以上、若しくは、２０ｍｍ未満の場合は「×」、２０ｍｍ〜３５ｍｍ未満「○」）。表１に示すように、カットなしのエンボスのみを施した場合は、しなやかさがなく、カットありのエンボスを施した場合は、しなやかであった。
また、実施例１〜３、比較例１〜２のそれぞれのしなやかさの評価は表３のようになる（平均値は３回評価した値の平均）。
【００４６】
【表３】
0006622979.tif 000004
【００４７】
このように、カット部ＣＴ２１を有するエンボス加工を施した場合、当該カット部ＣＴ２１で紙の繊維が切断されるため、エンボス加工によるトイレクリーナーの表面強度を維持すると共に、しなやかさが向上し、拭き取り性能が高いという顕著な効果を得ることができる。
【００４８】
水解性の評価については、エンボス加工の違いにより、水解性に影響がないか確認するための試験を実施した。試験方法は、ＪＩＳ  Ｐ  ４５０１（２００６）４．５「ほぐれやすさ」に従って測定した。実施例１〜３、比較例１〜２いずれの場合も、表４に示すように水解性の基準(１００秒以内でほぐれること)を満たしていることを確認した。
【００４９】
【表４】
0006622979.tif 000005
【００５０】
次に、実験２として、トイレクリーナー１００と同じエンボス形状・パターンで、全体のエンボスのうち、カットありのエンボスの割合（数）をかえて、拭き取り性、表面強度、しなやかさ、水解性を評価した。カットが入っている割合を０％、２５%、３０％、５０％、７５％、１００％の試作サンプル１〜６を実験１の条件で作成し、実験１と同様に評価した（表５参照）。
【００５１】
【表５】
0006622979.tif 000006
【００５２】
表５において総合判定は、３項目（拭き取り性、しなやかさ、水解性）のうち｛「×」「△」を１つ以上有するものを「×」とした。（当該３項目の値は、３回評価した値の平均値）。
【００５３】
表５に示すように、カットエンボスありエンボスの比率が増加すれば、しなやかさが向上し、拭き取り性が高くなるとの結果が得られた。また、カットを有するエンボスの比率が３０％以上であれば、エンボス加工によりトイレクリーナーの表面強度を高めると共に、しなやかで拭き取り性能の高いトイレクリーナーを実現できる。
【００５４】
以上のように、複数枚数の原紙がプライ加工されるトイレクリーナーであって、全面にエンボスＥＭ１１が形成され、全面に形成された全てのエンボスＥＭ１１の３０％以上のエンボスに、紙の漉き目の方向に沿って形成されたカット部ＣＴ２１を有するにより、当該カット部ＣＴ２１で紙の漉き目に直角な方向（ＣＤ方向）に沿って伸びている紙の繊維を切断できて、紙の漉き目の方向（ＭＤ方向）に伸びている紙の繊維は温存されるため、エンボス加工によりトイレクリーナーの表面強度を高めると共に、しなやかで拭き取り性能の高いトイレクリーナーを提供することができる。また、今回は２プライ（９０ｇ／ｍ２）での実施例を記載しているが、３プライ（９０ｇ／ｍ２）でも同等の結果が得られたことを確認した。
【００５５】
なお、本発明の実施形態の説明に際しては、エンボス加工の際の剪断力によってトイレクリーナー１００が破けて、カット部ＣＴ２１が形成される旨説明しているが、より具体的なエンボス加工でカットを入れる方法としては、エンボスのエッジを立てて剪断する方法、カットする部分のクリアランスを狭くして剪断する方法、エンボスの凸(あるいは辺)どおしを並べて凸(あるいは辺)どおしがすれ違うことで剪断する方法、エンボスのエッジがピン状になっており、ミシン目を入れるようにして剪断する方法などがある。
【００５６】
また、本発明の実施形態の説明に際しては、エンボス加工の際の剪断力によってトイレクリーナー１００が破けて、カット部ＣＴ２１が形成される旨説明しているが、剪断力によってトイレクリーナー１００を破くのではなく、エンボス加工の際に紙の繊維を圧着して圧着部を形成するものであってもよい。
【００５７】
すなわち、エンボスの一部分に、紙の繊維を圧着した圧着部を形成することにより、当該圧着部において紙の繊維が圧着されて纏まって、紙の繊維の平面的な広がりがなくなるので、トイレクリーナー１００の硬さが緩和されてしなやかさが向上し、拭き取り性能が高くなる。また、紙の漉き目の方向（ＭＤ方向）に伸びている紙の繊維と共に、紙の漉き目に直角な方向（ＣＤ方向）に沿って伸びている紙の繊維も温存されるため、表面強度を維持することができる。
【００５８】
また、本発明の実施形態の説明に際しては、エンボス加工の際の剪断力によってトイレクリーナー１００が破けて、カット部ＣＴ２１が形成される旨説明しているが、エンボス加工時の剪断力により確実にカット部ＣＴ２１が形成されるように、図２（ｂ）におけるエンボスＥＭ１１の膨出部の高さＨＴ２１は、ある程度の高さが必要であり、例えば、０．４０ｍｍ〜０．７５ｍｍであることが好ましい。
【００５９】
例えば、高さが０．４０ｍｍ未満であると、拭き取り時の摩擦が強くなって、拭き取りがしにくく、また、高さが０．７５ｍｍを超えると、包装時にエンボスＥＭ１１の形状がくずれやすくなって、見栄えが悪くなる。
【００６０】
また、本発明の実施形態の説明に際しては、エンボスＥＭ１１の形状として、所謂、ひょうたん形状を例示しているが、エンボスの形状は円形、楕円形、多角形（特に、各頂点の部分が曲線状になっているもの）等であれば任意の形状でよい。
【符号の説明】
【００６１】
１００  トイレクリーナー
ＥＭ１１  エンボス
ＣＴ２１  カット部
【図１】
0006622979.tif 000007
【図２】
0006622979.tif 000008
【図３】
0006622979.tif 000009